(57)【要約】【課題】出力装置におけるデータの表示形式を容易に再現することができる装置等を提供する。【解決手段】データ表示装置１０によれば、表示対象データに関連付けられてデータ記憶部１１により記憶されている表示形式データのうち、表示形式データ制御部１２により選択された表示形式データに基づき、当該表示対象データが出力装置２２に表示される。タイムスタンプ等の表示対象データの付属情報を表す第１付属データとは無関係なので、たとえ表示形式が一時的に変更されたとしても当該第１付属データが変更されることはない。また、ユーザによって表示対象データの表示形式が一時的に変更されたとしても、選択対象となる表示形式データそのものが変更されなければ、第１付属データが変更されることはなく、かつ、当該表示対象データの表示形式が容易に再現されうる。【選択図】  図１
2009020633.tif 000002
【特許請求の範囲】
【請求項１】
表示対象データを所定の形式にしたがって出力装置に表示させるデータ表示装置であって、
前記表示対象データと、前記表示対象データに関する付属情報を表す第１付属データとを関連付けて記憶し、前記表示対象データの前記出力装置における表示形式を定める表示形式データと、前記表示形式データに関する付属情報を表す第２付属データとを関連付けて記憶し、かつ、前記第１付属データと前記第２付属データとが相互に独立した状態で、前記表示対象データと前記表示形式データとを関連付けて記憶するデータ記憶部と、
前記出力装置に表示されている前記表示対象データに、前記データ記憶部により関連付けられて記憶されている前記表示形式データのうち、少なくとも１つの表示形式データを選択する表示形式データ制御部と、
該表示形式データ制御部により選択された該表示形式データに基づき、該表示対象データの前記出力装置における表示形式を制御する表示制御部とを備えていることを特徴とするデータ表示装置。
【請求項２】
請求項１記載のデータ表示装置において、
前記表示対象データを複数種類の方法にしたがって解析する解析部を備え、
前記表示形式データ制御部が、該複数種類の方法に応じた複数の前記表示形式データのうち、該複数種類の方法のうち該解析部が解析結果を得る際にしたがった方法に応じた前記表示形式データを選択し、
前記表示制御部が、該表示形式データ制御部により選択された該表示形式データに基づき、該解析部による該解析結果を前記出力装置に表示させることを特徴とするデータ表示装置。
【請求項３】
請求項１または２記載のデータ表示装置において、
前記データ記憶部が前記表示対象データおよび一またはそれぞれの該表示対象データに関連付けられている複数の前記表示形式データを記憶し、
前記表示形式データ制御部が該データ記憶部により記憶されている該複数の表示形式データから前記表示形式データを選択することを特徴とするデータ表示装置。
【請求項４】
請求項３記載のデータ表示装置において、
前記データ記憶部に記憶されている既存の前記表示形式データを、入力装置からの第１変更指示信号に応じて新たな前記表示形式データに変更するデータ変更部を備え、
前記表示形式データ制御部が該データ記憶部により記憶されている、該新たな表示形式データを含む前記複数の表示形式データのうち１つの該表示形式データを選択することを特徴とするデータ表示装置。
【請求項５】
請求項３または４記載のデータ表示装置において、
前記表示制御部に前記表示対象データを表示させるとき、当該表示対象データに関連付けられている前記表示形式データが前記データ記憶部に記憶されているか否かを判定する判定部を備え、
該判定部により該表示対象データに関連付けられている該表示形式データが該データ記憶部に記憶されていないと判定された場合、前記表示制御部が初期表示形式データに基づいて当該表示対象データを前記出力装置に表示させることを特徴とするデータ表示装置。
【請求項６】
請求項３または４記載のデータ表示装置において、
前記表示制御部に前記表示対象データを表示させるとき、当該表示対象データに関連付けられている前記表示形式データが前記データ記憶部に記憶されているか否かを判定する判定部を備え、
該判定部により該表示対象データに関連付けられている該表示形式データが該データ記憶部に記憶されていないと判定された場合、前記データ記憶部が初期表示形式データを当該表示対象データに関連付けられている該表示形式データとして記憶することを特徴とするデータ表示装置。
【請求項７】
請求項１〜６のうちいずれか１つに記載のデータ表示装置において、前記表示制御部が、前記表示対象データの前記出力装置における表示形式を、入力装置からの第２変更指示信号に応じて一時的に変更する表示形式変更部を備えていることを特徴とするデータ表示装置。
【請求項８】
表示対象データを所定の形式にしたがって出力装置に表示させるデータ表示方法であって、
前記表示対象データと、前記表示対象データに関する付属情報を表す第１付属データとを関連付けて記憶し、前記表示対象データの前記出力装置における表示形式を定める表示形式データと、前記表示形式データに関する付属情報を表す第２付属データとを関連付けて記憶し、かつ、前記第１付属データと前記第２付属データとが相互に独立した状態で、前記表示対象データと前記表示形式データとを関連付けて記憶するデータ記憶処理と、
前記出力装置に表示されている前記表示対象データに、前記データ記憶処理において関連付けられて記憶された前記表示形式データのうち、少なくとも１つの表示形式データを選択する表示形式データ制御処理と、
該表示形式データ制御部により選択された該表示形式データに基づき、該表示対象データの前記出力装置における表示形式を制御する表示制御処理とを実行することを特徴とするデータ表示方法。
【請求項９】
表示対象データを所定の形式にしたがって出力装置に表示させるデータ表示装置としてコンピュータを機能させるプログラムであって、
前記表示対象データと、前記表示対象データに関する付属情報を表す第１付属データとを関連付けて記憶し、前記表示対象データの前記出力装置における表示形式を定める表示形式データと、前記表示形式データに関する付属情報を表す第２付属データとを関連付けて記憶し、かつ、前記第１付属データと前記第２付属データとが相互に独立した状態で、前記表示対象データと前記表示形式データとを関連付けて記憶するデータ記憶部と、
前記出力装置に表示されている前記表示対象データに、前記データ記憶部により関連付けられて記憶されている前記表示形式データのうち、少なくとも１つの表示形式データを選択する表示形式データ制御部と、
該表示形式データ制御部により選択された該表示形式データに基づき、該表示対象データの前記出力装置における表示形式を制御する表示制御部とを備えている前記データ表示装置として前記コンピュータを機能させることを特徴とするデータ表示プログラム。
【発明の詳細な説明】
【技術分野】
【０００１】
本発明は、表示対象データを所定の表示形式データに基づいて表示させるデータ表示装置等に関する。
【背景技術】
【０００２】
複数種類のデータの比較対照等の観点から、当該複数種類のデータを表す複数のウィンドウがコンピュータの出力装置に同時に表示される状況において、当該複数のウィンドウの既定のレイアウトを再現しうる技術的手法が提案されている（たとえば、特許文献１参照）。
【特許文献１】特開平０４−２８７０９４号公報
【発明の開示】
【発明が解決しようとする課題】
【０００３】
しかし、ユーザによるコンピュータの操作に応じて表示対象データの表示形式が一時的にでも変更された場合、当該表示対象データに関連付けられている付属データが自動的に変更されてしまう。これは、表示対象データと、当該表示対象データの出力装置における表示形式を定める表示形式データと、タイムスタンプ等の付属データとが相互に関連付けられていることに起因している。また、この場合、表示形式データも自動的に変更されてしまうので、変更前の表示形式にしたがって表示対象データを表示させるためには、ユーザによるコンピュータの再度の操作が必要になる。
【０００４】
そこで、本発明は、出力装置において表示対象データの付属データを変更することなく、当該表示対象データの出力装置における表示形式を容易に調節することができる装置等を提供することを解決課題とする。
【課題を解決するための手段】
【０００５】
第１発明のデータ表示装置は、表示対象データを所定の形式にしたがって出力装置に表示させるデータ表示装置であって、前記表示対象データと、前記表示対象データに関する付属情報を表す第１付属データとを関連付けて記憶し、前記表示対象データの前記出力装置における表示形式を定める表示形式データと、前記表示形式データに関する付属情報を表す第２付属データとを関連付けて記憶し、かつ、前記第１付属データと前記第２付属データとが相互に独立した状態で、前記表示対象データと前記表示形式データとを関連付けて記憶するデータ記憶部と、前記出力装置に表示されている前記表示対象データに、前記データ記憶部により関連付けられて記憶されている前記表示形式データのうち、少なくとも１つの表示形式データを選択する表示形式データ制御部と、該表示形式データ制御部により選択された該表示形式データに基づき、該表示対象データの前記出力装置における表示形式を制御する表示制御部とを備えていることを特徴とする。
【０００６】
第１発明のデータ表示装置によれば、表示対象データに関連付けられている表示形式データに基づき、当該データが出力装置に表示される。第１付属データは第２付属データとは独立した状態でデータ記憶部に記憶されている。したがって、表示対象データの表示形式を定める表示形式データが選択されたとき、当該表示形式データに関連付けられている第２付属データが変更されたとしても、当該表示対象データに関連付けられている第１付属データが変更されることはない。また、ユーザによって表示対象データの表示形式が一時的に変更されたとしても、表示対象データに関連付けられている第１付属データは変更されず、かつ、選択対象となる表示形式データそのものは変更されていないので、当該表示対象データが表示される際の形式が容易に再現されうる。したがって、表示対象データに関する付属情報を表す第１付属データを変更することなく、当該表示対象データの出力装置における表示形式を容易に再現することができる。
【０００７】
第２発明のデータ表示装置は、第１発明のデータ表示装置において、前記表示対象データを複数種類の方法にしたがって解析する解析部を備え、前記表示形式データ制御部が、該複数種類の方法に応じた複数の前記表示形式データのうち、該複数種類の方法のうち該解析部が解析結果を得る際にしたがった方法に応じた前記表示形式データを選択し、前記表示制御部が、該表示形式データ制御部により選択された該表示形式データに基づき、該解析部による該解析結果を前記出力装置に表示させることを特徴とする。
【０００８】
第２発明のデータ表示装置によれば、複数種類の方法にしたがった１つの表示対象データの複数の解析結果のそれぞれが、当該各方法に関連付けられている表示形式データに基づいて出力装置に表示される。したがって、１つの表示対象データの付属情報を表す第１付属データを変更させることなく、出力装置における当該１つの表示対象データの複数の解析結果のそれぞれの表示形式が容易に再現されうる。
【０００９】
第３発明のデータ表示装置は、第１または第２発明のデータ表示装置において、前記データ記憶部が前記表示対象データおよび一またはそれぞれの該表示対象データに関連付けられている複数の前記表示形式データを記憶し、前記表示形式データ制御部が該データ記憶部により記憶されている該複数の表示形式データから前記表示形式データを選択することを特徴とする。
【００１０】
第３発明のデータ表示装置によれば、ユーザによって表示対象データの表示形式が一時的に変更されたとしても、タイムスタンプ等の表示対象データの付属情報を表す第１付属データとは無関係なので当該第１付属データが変更されることはない。また、データ記憶部に記憶されている表示形式データそのものが変更されなければ、その後、表示対象データが表示される際の形式が容易に再現されうる。したがって、表示対象データの付属情報を表す第１付属データを変更することなく、当該表示対象データの出力装置における表示形式を容易に再現することができる。
【００１１】
第４発明のデータ表示装置は、第３発明のデータ表示装置において、前記データ記憶部に記憶されている既存の前記表示形式データを、入力装置からの第１変更指示信号に応じて新たな前記表示形式データに変更するデータ変更部を備え、前記表示形式データ制御部が該データ記憶部により記憶されている、該新たな表示形式データを含む前記複数の表示形式データのうち１つの該表示形式データを選択することを特徴とする。
【００１２】
第４発明のデータ表示装置によれば、ユーザの操作に応じた入力装置からの第１変更指示信号に応じて、データ記憶部に記憶されている表示形式データが変更されるが、当該変更は表示対象データの付属情報を表す第１付属データとは無関係である。したがって、表示対象データの付属情報を表す第１付属データを変更させることなく、当該変更後の表示形式データに基づく出力装置における当該表示対象データの表示形式が容易に再現されうる。
【００１３】
第５発明のデータ表示装置は、第３または第４発明のデータ表示装置において、前記表示制御部に前記表示対象データを表示させるとき、当該表示対象データに関連付けられている前記表示形式データが前記データ記憶部に記憶されているか否かを判定する判定部を備え、該判定部により該表示対象データに関連付けられている該表示形式データが該データ記憶部に記憶されていないと判定された場合、前記表示制御部が初期表示形式データに基づいて当該表示対象データを前記出力装置に表示させることを特徴とする。
【００１４】
第５発明のデータ表示装置によれば、表示対象データに関連付けられている表示形式データがデータ記憶部に記憶されていない場合、当該表示対象データが初期表示形式データに基づいて出力装置に表示される。
【００１５】
第６発明のデータ表示装置は、第３または第４発明のデータ表示装置において、前記表示制御部に前記表示対象データを表示させるとき、当該表示対象データに関連付けられている前記表示形式データが前記データ記憶部に記憶されているか否かを判定する判定部を備え、該判定部により該表示対象データに関連付けられている該表示形式データが該データ記憶部に記憶されていないと判定された場合、前記データ記憶部が初期表示形式データを当該表示対象データに関連付けられている該表示形式データとして記憶することを特徴とする。
【００１６】
第６発明のデータ表示装置によれば、表示対象データに関連付けられている表示形式データがデータ記憶部に記憶されていない場合、当該表示対象データが初期表示形式データに基づいて出力装置に表示される。その後、表示対象データに関連付けられてデータ記憶部に記憶されている表示形式データが、初期表示形式データから別の表示形式データに変更されない限り、出力装置において表示対象の初期表示形式が再現される。
【００１７】
第７発明のデータ表示装置は、第１〜第６発明のうちいずれか１つのデータ表示装置において、前記表示制御部が、前記表示対象データの前記出力装置における表示形式を、入力装置からの第２変更指示信号に応じて一時的に変更する表示形式変更部を備えていることを特徴とする。
【００１８】
第７発明のデータ表示装置によれば、ユーザの操作に応じた入力装置からの第２変更指示信号に応じて、表示対象データの付属情報を表す付属データを変更させることなく、出力装置における当該表示対象データの表示形式が一時的に変更されうる。
【００１９】
第８発明のデータ表示方法は、表示対象データを所定の形式にしたがって出力装置に表示させるデータ表示方法であって、前記表示対象データと、前記表示対象データに関する付属情報を表す第１付属データとを関連付けて記憶し、前記表示対象データの前記出力装置における表示形式を定める表示形式データと、前記表示形式データに関する付属情報を表す第２付属データとを関連付けて記憶し、かつ、前記第１付属データと前記第２付属データとが相互に独立した状態で、前記表示対象データと前記表示形式データとを関連付けて記憶するデータ記憶処理と、前記出力装置に表示されている前記表示対象データに、前記データ記憶処理において関連付けられて記憶された前記表示形式データのうち、少なくとも１つの表示形式データを選択する表示形式データ制御処理と、該表示形式データ制御部により選択された該表示形式データに基づき、該表示対象データの前記出力装置における表示形式を制御する表示制御処理とを実行することを特徴とする。
【００２０】
第８発明のデータ表示方法によれば、表示対象データに関する付属情報を表す第１付属データを変更することなく、当該表示対象データの出力装置における表示形式を容易に再現することができる。
【００２１】
第９発明のデータ表示プログラムは、表示対象データを所定の形式にしたがって出力装置に表示させるデータ表示装置としてコンピュータを機能させるプログラムであって、前記表示対象データと、前記表示対象データに関する付属情報を表す第１付属データとを関連付けて記憶し、前記表示対象データの前記出力装置における表示形式を定める表示形式データと、前記表示形式データに関する付属情報を表す第２付属データとを関連付けて記憶し、かつ、前記第１付属データと前記第２付属データとが相互に独立した状態で、前記表示対象データと前記表示形式データとを関連付けて記憶するデータ記憶部と、前記出力装置に表示されている前記表示対象データに、前記データ記憶部により関連付けられて記憶されている前記表示形式データのうち、少なくとも１つの表示形式データを選択する表示形式データ制御部と、該表示形式データ制御部により選択された該表示形式データに基づき、該表示対象データの前記出力装置における表示形式を制御する表示制御部とを備えている前記データ表示装置として前記コンピュータを機能させることを特徴とする。
【００２２】
第９発明のデータ表示プログラムによれば、表示対象データに関する付属情報を表す第１付属データを変更することなく、当該表示対象データの出力装置における表示形式を容易に再現することができる装置として、コンピュータを機能させることができる。
【発明を実施するための最良の形態】
【００２３】
本発明のデータ表示装置等の実施形態について図面を用いて説明する。
【００２４】
図１に示されているデータ表示装置１０は、入力装置２１および出力装置２２に接続されているコンピュータ（ＣＰＵ，ＲＯＭ，ＲＡＭ，Ｉ／Ｏ等により構成されている。）１およびデータ表示プログラムにより構成されている。データ表示プログラムは予めコンピュータ１のメモリ（ＲＯＭ）に格納されていてもよいが、適当なタイミングでＣＤ等の記録媒体を介してまたは外部の無線通信によってコンピュータのメモリ（ＲＡＭ等）に格納されてもよい。入力装置２１はたとえばキーボードやマウス装置等である。出力装置２２はたとえばＣＲＴ、ＬＣＤ等のディスプレイ装置である。
【００２５】
データ表示装置１０は、データ記憶部１１と、表示形式データ制御部１２と、解析部１３と、表示制御部１４とを備えている。当該構成要素は共通のＣＰＵやメモリにより構成されていてもよく、異なるＣＰＵやメモリにより構成されていてもよい。
【００２６】
データ記憶部１１は表示対象データと、当該表示対象データに関する付属情報を表す第１付属データ（たとえば、更新時点を表すタイムスタンプデータ）とを関連付けて記憶する。また、データ記憶部１１は表示対象データの出力装置２２における表示形式を定める表示形式データと、この表示形式データに関する付属情報を表す第２付属データ（たとえば、更新時点を表すタイムスタンプデータ）とを関連付けて記憶する。さらに、データ記憶部１１は第１付属データと第２付属データとが相互に独立した状態で、表示対象データと表示形式データとを関連付けて記憶する詳細にはデータ記憶部１１は、解析部１３によるｎ種類の解析方法のそれぞれに関連付けられている、図２に示されているｎ種類の表示形式データと、解析対象となる表示対象データとを関連付けて記憶または保存する。複数の表示対象データのそれぞれに対応して複数のデータ記憶部（または記憶装置における記憶エリア）１１が設けられていてもよい。表示対象データは外部コンピュータやＣＤ等の記憶媒体からデータ記憶部１１に入力されてもよい。
【００２７】
表示形式データ制御部１２は表示対象データに関連付けられている表示形式データを選択等する。
【００２８】
解析部１３はｎ個の第ｉ解析部１３−ｉを備えている（ｉ＝１，２，‥，ｎ）。第ｉ解析部１３−ｉは相互に異なる方法にしたがって表示対象データを解析する。このため、解析部１３はｎ種類の方法にしたがって表示対象データを解析することができる。
【００２９】
表示制御部１４はｎ個の第ｊ表示制御部１４−ｊを備えている（ｊ＝１，２，‥，ｎ）。第ｊ表示制御部１４−ｊは、第ｊ解析部１３−ｊによる表示対象データの解析結果を、当該解析方法に関連付けられてデータ記憶部１１に記憶されている表示形式データに基づいて出力装置２２に表示させる。このため、表示制御部１４は解析部１３によるｎ種類の方法にしたがった複数の解析結果のそれぞれを、データ記憶部１１に記憶されている当該ｎ種類の方法のそれぞれに関連付けられている表示形式データに基づいて出力装置２２に表示させることができる。また、表示制御部１４は判定部１４０と、データ変更部１４１と、表示形式変更部１４２とを備えている。判定部１４０は表示対象データに関連付けられている表示形式データがデータ記憶部に記憶されているか否かを判定する。データ変更部１４１はデータ記憶部１１に記憶されている表示形式データを、入力装置２１からの変更指示信号に応じて、表示形式データ制御部１２に変更させる。表示形式変更部１４２は出力装置２２におけるデータの表示形式を、第ｊ表示制御部１４−ｊに一時的に変更させる。
【００３０】
前記構成のデータ表示装置１０の機能について説明する。ここでは、コンピュータにおけるソフトウェアが有する複数のタスクのそれぞれの動作状態を表すデータが表示対象データとして解析部１３に入力される。表示対象データは解析部１３により（１）各タスクの実行時間帯を解析する方法、（２）複数のタスクが実行開始順番を解析する方法、（３）異なるタスク間の連続遷移回数を解析する方法、および（４）各タスクの実行周期を解析する方法等、複数種類の方法にしたがって解析される。
【００３１】
入力装置２１から表示制御部１４に出力指示信号が入力される（図３／Ｓ００２）。出力指示信号はたとえば第ｉ解析部１３−ｉによる表示対象データの解析結果を出力装置２２に表示させるためにユーザによって入力装置２１が操作されたことに応じて、入力装置２１から出力される。
【００３２】
続いて、判定部１２１により、出力指示信号があった第ｉ解析部１３−ｉによる解析方法のそれぞれに関連付けられている、データ記憶部１１により記憶されている表示形式データの有無が判定される（図３／Ｓ００４）。
【００３３】
当該判定結果が肯定的な場合（図３／Ｓ００４‥ＹＥＳ）、表示形式データ制御部１２が、第ｉの解析方法に関連付けられて記憶されている第ｉの表示形式データをデータ記憶部１１から読み出し、第ｉ表示制御部１４−ｉが当該第ｉの表示形式データに基づき、第ｉ解析部１３−ｉによる解析結果を出力装置２２に表示させる（図３／Ｓ００６）。その一方、当該判定結果が否定的な場合（図３／Ｓ００４‥ＮＯ）、表示形式データ制御部１２が、あらかじめ設定されている初期表示形式データをデータ記憶部１１から読み出し、第ｉ表示制御部１４−ｉが当該初期表示形式データに基づいて第ｉ解析部１３−ｉによる解析結果を出力装置２２に表示させる（図３／Ｓ００８）。これにより、たとえば解析部１３による４種類の解析結果を示す、図４に示されているような４個（ｎ＝４）のウィンドウｗｄ１〜ｗｄ４が初期表示形式または既定の表示形式にしたがって出力装置２２に表示される。第１ウィンドウｗｄ１には各タスクのＩＤを縦軸とし、経過時間を横軸とするグラフが表示される。第２ウィンドウｗｄ２には各タスクのＩＤを縦軸および横軸とする平面において複数のタスクの実行開始順番を表すチャートが表示される。第３ウィンドウｗｄ３には異なるタスク間の連続遷移回数を示すテーブルが表示される。第４ウィンドウｗｄ４には各タスクの実行周期の最大値、最小値、平均値、分散値等を示すテーブルが表示される。各ウィンドウの表示形式は、各ウィンドウの縦横のサイズ、ウィンドウの内側に表示されるセル、文字、数字、記号等の構成要素の色彩、形状および模様等を指定する。
【００３４】
さらに、データ変更部１４１が入力装置２１からの第１変更指示信号の有無を判定する（図３／Ｓ０１０）。ユーザが入力装置２１を第１パターンにしたがって操作することにより、入力装置２１から第１変更指示信号がデータ変更部１４１に送られる。データ変更部１４１は第１変更指示信号があったと判定した場合（図３／Ｓ０１０‥ＹＥＳ）、当該第１変更指示信号に基づき、データ記憶部１１に記憶されている表示形式データそのものを変更する（図３／Ｓ０１２）。このとき、データ記憶部１１において表示形式データに関連付けられている第２付属データが変更されうる一方、表示対象データ（または表示対象データの解析結果）に関連付けられている第１付属データは変更されない。また、表示形式データ制御部１２が当該変更後の表示形式データを選択し、第ｉ表示制御部１４−ｉが当該表示形式データに基づいて第１変更指示信号があったウィンドウｗｄｉを出力装置２２に表示させる（図３／Ｓ０１４）。複数のウィンドウｗｄｉのうち一部または全部が表示形式データの変更対象とされうる。
【００３５】
一方、第１変更指示信号がないと判定された場合（図３／Ｓ０１０‥ＮＯ）、表示形式変更部１４２が入力装置２１からの第２変更指示信号の有無を判定する（図３／Ｓ０１１）。ユーザが入力装置２１を第１パターンとは異なる第２パターンにしたがって操作することにより、入力装置２１から第２変更指示信号が表示形式変更部１４２に送られる。表示形式変更部１４２は第２変更指示信号があったと判定した場合（図３／Ｓ０１１‥ＹＥＳ）、当該第２変更指示信号に基づき、第ｉ表示制御部１４−ｉにより制御されている、出力装置２２における解析結果の表示形式を一時的に変更する（図３／Ｓ０１３）。この場合、表示形式データそのものは変更されない。また、このとき、データ記憶部１１においてこの表示形式データに関連付けられている表示対象データにさらに関連付けられている第１付属データは変更されない。複数のウィンドウｗｄｉのうち一部または全部が一事的な表示形式の変更対象とされうる。
【００３６】
さらに、判定部１２１により、入力装置２１から表示制御部１４に出力停止信号が入力されたか否かが判定される（図３／Ｓ０１６）。出力停止信号は、たとえば第ｉ解析部１３−ｉによる表示対象データの解析結果の出力装置２２における表示を停止させるためにユーザによって入力装置２１が操作されたことに応じて、入力装置２１から出力される。また、第１変更指示信号がないと判定され、かつ、第２変更指示信号がないと判定された場合も（図３／Ｓ０１０‥ＮＯかつＳ０１１‥ＮＯ）、出力停止信号の有無が判定される（図３／Ｓ０１６）。
【００３７】
出力停止信号がないと判定された場合（図３／Ｓ０１６‥ＮＯ）、第１または第２変更指示信号の有無が継続的に判定される（図３／Ｓ０１０，Ｓ０１１）。出力停止信号があったと判定された場合（図３／Ｓ０１６‥ＹＥＳ）、一連の処理が終了する。
【００３８】
前記機能を発揮するデータ表示装置１０によれば、表示対象データに関連付けられてデータ記憶部１１により記憶されている表示形式データのうち、表示形式データ制御部１２により選択された表示形式データに基づき、当該表示対象データの解析結果が出力装置２２に表示される（図３／Ｓ００６，図４参照）。
【００３９】
また、第１付属データは第２付属データとは独立した状態でデータ記憶部に記憶されている（図１参照）。したがって、表示対象データの表示形式を定める表示形式データが選択されたとき、当該表示形式データに関連付けられている第２付属データが変更されたとしても、当該表示対象データに関連付けられている第１付属データが変更されることはない（図２／Ｓ０１２参照）。また、ユーザによって表示対象データの表示形式が一時的に変更されたとしても、表示対象データに関連付けられている第１付属データは変更されず、かつ、選択対象となる表示形式データそのものは変更されていないので、当該表示対象データが表示される際の形式が容易に再現されうる（図２／Ｓ０１３参照）。したがって、表示対象データに関する付属情報を表す第１付属データを変更することなく、当該表示対象データの出力装置における表示形式を容易に再現することができる。
【００４０】
また、ユーザの第１パターンの操作に応じた入力装置２１からの第１変更指示信号に応じて、データ記憶部１１に記憶されている表示形式データが変更されるが（図３／Ｓ０１２参照）、当該変更は表示対象データの付属情報を表す第１付属データとは無関係である。したがって、表示対象データの付属情報を表す第１付属データを変更することなく、当該変更後の表示形式データに基づく出力装置２２における当該表示対象データの表示形式を容易に再現することができる。
【００４１】
さらに、ユーザの第２パターンの操作に応じた入力装置２１からの第２変更指示信号に応じて、第ｉ表示制御部１４−ｉにより制御されている出力装置２２における表示形式が一時的に変更されるが（図３／Ｓ０１３参照）、当該変更は表示対象データの付属情報を表す第１付属データとは無関係である。したがって、表示対象データの付属情報を表す第１付属データを変更させることなく、出力装置２２における当該表示対象データの表示形式が変更されうる。
【００４２】
なお、一の表示対象データに、解析部１３による複数種類の解析方法のそれぞれに応じた複数の表示形式データが関連付けられてデータ記憶部１１に記憶されるほか、一の表示対象データに一の表示形式データが関連付けられてデータ記憶部１１に記憶されてもよい。また、複数種類の解析方法の組み合わせに応じた１つの表示形式データが、当該解析方法の組み合わせに関連付けられてデータ記憶部１１により記憶されていてもよい。
【図面の簡単な説明】
【００４３】
【図１】本発明のデータ表示装置の構成説明図
【図２】表示対象データと表示形式データとの関連性の説明図
【図３】本発明のデータ表示装置の機能説明図
【図４】本発明のデータ表示装置による出力状態の説明図
【符号の説明】
【００４４】
１‥コンピュータ、１０‥データ表示装置、１１‥データ記憶部、１２‥表示形式データ制御部、１３‥解析部、１４‥表示制御部、１４０‥判定部、１４１‥データ変更部、１４２‥表示形式変更部、２１‥入力装置、２２‥出力装置
【図１】
2009020633.tif 000003
【図２】
2009020633.tif 000004
【図３】
2009020633.tif 000005
【図４】
2009020633.tif 000006